(57)【要約】【課題】  ＩＣチップ内を光ディスクに内蔵させ、そのＩＣチップ内に記録された光ディスク個々の固有情報の変更が可能な情報記憶媒体及びこの媒体を用いた情報再生装置を提供する。【解決手段】  ユーザデータが記録可能な記録領域４とこの記録領域よりも内周側にある内周領域９とからなる情報記憶媒体１において、この情報記憶媒体１の固有情報を記憶するＩＣチップ５を前記内周領域に設け、このＩＣチップ５が設けられた位置と軸対象の位置に前記ＩＣチップ５と同じ重量を持つ重量部材８を設けたことを特徴とする。【選択図】  図１
2007035226.tif 000002
【特許請求の範囲】
【請求項１】
ユーザデータが記録可能な記録領域とこの記録領域よりも内周側にある内周領域とからなる情報記憶媒体において、
前記情報記憶媒体の固有情報を記憶するＩＣチップを前記内周領域に設け、このＩＣチップが設けられた位置と軸対象の位置に前記ＩＣチップと同じ重量を持つ重量部材を設けたことを特徴とする情報記憶媒体。
【請求項２】
前記固有情報は、販売可否情報、セキュリティー情報、媒体シリアル番号、再生回数情報、レンタルカウンター情報、コピー回数情報であることを特徴とする請求項１記載の情報記憶媒体。
【請求項３】
ユーザデータが記録可能な記録領域とこの記録領域よりも内周側にある内周領域とからなる情報記憶媒体の固有情報を記憶するＩＣチップを前記内周領域に設け、このＩＣチップが設けられた位置と軸対象の位置に前記ＩＣチップと同じ重量を持つ重量部材を設けた情報記憶媒体を再生する情報再生装置であって、
前記ＩＣチップと通信制御する無線制御部を備えたカバー部が設けられ、
このカバー部はターンテーブルに前記情報記憶媒体が装着されると前記情報記憶媒体を覆うように閉じられ、
前記カバー部が閉じられた段階で、前記無線制御部は前記ＩＣチップと通信を開始することを特徴とする情報再生装置。
【請求項４】
前記固有情報は、販売可否情報、セキュリティー情報、媒体シリアル番号、再生回数情報、レンタルカウンター情報、コピー回数情報であることを特徴とする請求項３記載の情報再生装置。
【発明の詳細な説明】
【技術分野】
【０００１】
本発明は、半導体レーザを用いた高密度記録可能な情報記憶媒体及び記憶媒体管理システムに関する。更に詳しくは電子記憶機能又は盗難防止機能が付された情報記憶媒体及びこの媒体を用いた情報再生装置に関する。
【背景技術】
【０００２】
近年、パーソナルコンピュータで利用される記憶媒体として大容量で可搬性のある光ディスクが普及している。代表的な光ディスクとしては、追記型の光ディスクとしてＣＤ−Ｒ、ＤＶＤ＋Ｒ／−Ｒまた、書き換え可能型の光ディスクとしてＣＤ−ＲＷ、ＤＶＤ＋ＲＷ／−ＲＷがある。これらの光ディスクは、再生装置、例えばＣＤ−ＲＯＭドライブ、ＤＶＤ−ＲＯＭドライブでの再生互換を重視されて作られているので、例えば社内の記録システム環境で情報を記録したものを社外へ持ち出して、再生装置で容易に再生・読出しすることができる。
【０００３】
ところで、上記のような現行の光ディスクよりも更に高密度記録が可能な光ディスク（例えば、ＨＤ  ＤＶＤ）が開発されてきている。このＨＤ  ＤＶＤにはバーコード状のパターンが記録されるＢＣＡ（Burst Cutting Area）と呼ばれる領域を内周側に設けることが必須とされ、このＢＣＡには光ディスク個々の固有情報が記録される。
【特許文献１】特開２００４−１５２４２９号公報
【発明の開示】
【発明が解決しようとする課題】
【０００４】
上記特許文献１に記載の技術によると、バーコード状のパターンに対応した変調信号とディスク回転モーターからの信号とを同期させて、ディスク上にバーコード状のパターンをＢＣＡに記録する。この方法で記録されたパターンには光ディスク個々の固有情報が記録される。しかしながら、一度記録されたパターンを変更することは不可能である。よって、光ディスク固有の情報を一度記録してしまうと固有情報を変更したくても変更できないといった問題がある。
【０００５】
そこで、本発明の目的は、上記の問題を解決するために成されたものであり、ＩＣチップ内を光ディスクに内蔵させ、そのＩＣチップ内に記録された光ディスク個々の固有情報の変更が可能な情報記憶媒体及びこの媒体を用いた情報再生装置を提供することにある。
【課題を解決するための手段】
【０００６】
上記した課題を解決するために、この発明は、ユーザデータが記録可能な記録領域とこの記録領域よりも内周側にある内周領域とからなる情報記憶媒体において、前記情報記憶媒体の固有情報を記憶するＩＣチップを前記内周領域に設け、このＩＣチップが設けられた位置と軸対象の位置に前記ＩＣチップと同じ重量を持つ重量部材を設けたことを特徴とする。
【発明の効果】
【０００７】
この発明によれば、ＩＣチップ内に記録された固有情報の変更が可能になるため豊富なアプリケーションを提供することができる。すなわち、情報記憶媒体内に無線機能付きＩＣチップを内蔵することで、売場からの情報記憶媒体の盗難を防止でき（盗難したとしても情報再生装置で再生できないので盗難者の盗難意欲を損なうことができる）、またコピー制御や非常に簡易なシステムによる低価格なレンタルシステムを構築することが可能となる。
【発明を実施するための最良の形態】
【０００８】
以下、この発明の実施例について、図面を参照しながら詳細に説明する。
【０００９】
図１は無線機能付きＩＣチップ内蔵情報記憶媒体の構造を示す図である。
【００１０】
図１に示すように、情報記憶媒体１上にはユーザデータや管理データが記録される光記録領域４と、この光記録領域４より内周側に位置する内周領域９とが設けられている。この内周領域９には、ＩＣチップ埋込み用穴２とカウンターウェイト埋込み用の穴３が設けられている。ＩＣチップ５の重量密度は情報記憶媒体１の重量密度と異なる。そのため、ＩＣチップ５をＩＣチップ埋込み用穴２に埋込む時に、中心に対してずれた位置にＩＣチップ５を埋込むと重量バランスが変化され回転時の動的バランスが乱れるという問題がある。
【００１１】
その問題を除去するために情報記憶媒体１内のＩＣチップ５を埋込む場所と軸対象の位置にＩＣチップ５と同じ重量密度と重量を持つカウンターウェイト５８（重量部材）を配置し、情報記憶媒体１内での重量バランスを安定化させることで、情報記憶媒体１を高速に回転したときの動的バランスが保たれるように工夫しているところに本実施例の特徴がある。
【００１２】
また、ＩＣチップ５の埋込み位置を光記録領域４より内周側（内周領域５９）に持たすことにより、重量バランスを安定化するとともに光記録領域４に対するＩＣチップ５の影響を除去している。
【００１３】
ＩＣチップ５の中の構造は不揮発性メモリ部６と無線通信Ｉ/Ｏ部７から構成されている。不揮発性メモリ部６の中には販売可否情報、セキュリティ情報、シリアル番号、再生回数情報、レンタルカウンター、コピー回数情報が記録される。これらの情報を無線通信Ｉ／Ｏ部７を介して外部との通信を行う。
【００１４】
図２は、ＩＣチップ内蔵の情報記憶媒体を用いたレジスタシステムの説明図である。
【００１５】
情報記憶媒体１をユーザーが購入した場合、購入時にユーザーが購入する情報記憶媒体１をレジスタに持ってくると、販売店員は購入対象の情報記憶媒体１を無線制御部１２に近づける。無線制御部１２はコントローラー１３と接続されており、コントローラ１３から無線制御部１２に信号が送られ無線制御部１２から情報記憶媒体１のＩＣチップ５に対して無線通信され、ＩＣチップ５の中の販売可否情報のフラグを販売後のフラグに変更する。ユーザーが購入前においては、発売可否情報に対して未発売のフラグを設定することで情報再生装置１００で再生した場合に再生不可能となるようなっている。
【００１６】
このように、ユーザーが購入時に無線制御部１２によりＩＣチップ５の中の販売可否情報を販売後のフラグを立てることによりユーザーの盗難を防止することができる。このときにＩＣチップ５の中には情報記憶媒体１の価格情報が入っており、無線制御部１２ではＩＣチップ５の中の価格情報を読み取りコントローラ１３を経由してレジスタ部１１に自動的に販売価格が表示され、店員は情報記憶媒体１の価格を調べることなく、自動的に購買手続きが行われる。
【００１７】
図３は、ＩＣチップ内の情報を再生する情報再生装置を示す構成図である。
【００１８】
図３に示すように、情報記憶媒体１はスピンドルモーター２１の上の図示しないターンテーブルに装着されると蓋（カバー部）２２が閉まるようになっている。この情報再生装置はポータブルプレーヤのように情報記憶媒体が装填されて蓋２２が閉じられて初めて再生開始される。蓋２２の中には無線制御部２３が内蔵されており、情報記憶媒体１をターンテーブルに装着し蓋２２が閉まった段階で無線制御部２３が働き情報記憶媒体１内のＩＣチップ５との通信を開始する。情報再生装置はＩＣチップ５内の販売可否情報のフラグを判別し、万引きされた場合にはＩＣチップ５の中に入っている販売可否情報フラグが未発売になっているので情報再生装置は情報記憶媒体１の情報を再生せず万引き防止に役立つ。
【００１９】
また、逆にＩＣチップ５の中の販売可否情報フラグが既発売となっている場合には無線制御部２３がその情報を読み取り、正当に情報記憶媒体１から情報を読取る。このようにＩＣチップ５を用いることにより情報記憶媒体１の万引きを防止することができる。
【００２０】
以下に本発明の他の実施例について説明を行う。
【００２１】
例えば、図２は発売だけでなく、レンタルビデオ屋のカウンターとして考えることができる。例えば、ユーザーは情報記憶媒体１をレンタルした時に５回までなら再生を可能にすると、ＩＣチップ５の中に再生可能回数情報と、再生回数情報をＩＣチップ５の中に入れておく。そうすることで、再生回数によりレンタル処理をすることによりレンタル料を安く、しかも普及させることができる。
【００２２】
図３に示すように情報再生装置がレンタルビデオを再生する時、再生可能情報と既再生回数を読み取り既再生回数が再生可能情報よりも少ない時には情報を出力するが、所定回数よりも再生回数が増えたときには情報記憶媒体１に記録されている映像情報の出力を中止する。このように、上記同様、再生回数によりレンタル処理をすることによりレンタル料を安く、しかも普及させることができる。さらに、他の実施例としてＩＣチップ５の中に入れる情報としてコピー回数の制限情報を入れ、特定の回数までのコピーを許したり、あるいはセキュリティ情報を入れることで不正コピーの防止を行ったりシリアル番号を入れることでＢＣＡとは異なる、個々のコピー制御を行うなどすることもできる。
【００２３】
このように、情報記憶媒体１内に無線機能付きＩＣチップ５を内臓することで、売場からの情報記憶媒体１の盗難を防止でき、またコピー制御や非常に簡易なシステムによる低価格なレンタルシステムを構築することが可能となる。
【００２４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２５】
【図１】無線機能付きＩＣチップ内蔵情報記憶媒体の構造を示す図。
【図２】ＩＣチップ内蔵情報記憶媒体を用いたレジスタシステムの説明図。
【図３】ＩＣチップ内の情報を再生する情報再生装置を示す構成図。
【符号の説明】
【００２６】
１…情報記憶媒体、２…ＩＣチップ埋込み用穴、３…カウンターウェイト埋込み用穴、５…ＩＣチップ、６…不揮発性メモリー部、７…無線通信Ｉ／Ｏ部、８…カウンターウェイト、１１…レジスター、１２、２３…無線制御部、１３…コントローラー、２１・・・スピンドルモーター部、２２・・・蓋
【図１】
2007035226.tif 000003
【図２】
2007035226.tif 000004
【図３】
2007035226.tif 000005